(57)【特許請求の範囲】
【請求項１】
屋根勾配に沿って螻羽上面を覆う天板部と、天板部の妻側で螻羽側面を覆う縦板部とでカバー本体を形成し、このカバー本体に、横風による縦板部側面への雨水垂れを防ぐ屋根勾配の方向と略平行な止水用側壁を設け、天板部棟側に棟側支持壁を設けると共にこの下端を棟側に向けて折り曲げて、上下の屋根瓦で挟まれる棟側鍔を形成したことを特徴とする螻羽カバー。
【請求項２】
天板部軒側の端を下方に折り曲げてカバー本体を支持する支持壁を形成すると共に、天板部妻側と反対側の端を下方に折り曲げて、下縁が支持壁の下縁よりも上方にとどまる止水用側壁と、止水用側壁下側で屋根瓦が挿入可能となる屋根瓦挿入口とを形成したことを特徴とする請求項１記載の螻羽カバー。
【請求項３】
縦板部外側に、略直立状で上縁が天板部より突出する止水板を取り付けて止水用側壁を形成したことを特徴とする請求項１記載の螻羽カバー。
【請求項４】
天板部妻側の端を上方に折り曲げて止水用側壁を形成し、止水用側壁の上端を下方に折り返して縦板部を形成したことを特徴とする請求項１記載の螻羽カバー。
【請求項５】
天板部の天面に溝を設け、溝内の妻側側壁を止水用側壁としたことを特徴とする請求項１記載の螻羽カバー。
【請求項６】
天板部の天面に凸条を設け、妻側と反対側の凸条側壁を止水用側壁としたことを特徴とする請求項１記載の螻羽カバー。
【発明の詳細な説明】
【０００１】
【発明の属する技術分野】
本発明は、建築物の螻羽部に設ける螻羽カバーに関するものである。
【０００２】
【従来の技術】
従来から、図９に示すように、螻羽カバー（Ｅ）は、螻羽部の上面と側面を覆う断面Ｌ型形状のものが考案され使用されていた。このものは、上面をフラットな形状としている。
【０００３】
これにより、屋根外観をすっきりと見せることができ、見栄えの良い建築物とすることができた。
【０００４】
【発明が解決しようとする課題】
しかしながら、上記従来の技術においては、上面をフラットな形状としているがゆえに、横風の影響により雨水が螻羽カバー（Ｅ）側面に垂れ落ち、そのまま地面に落下し、その結果地面に穴が空いたり、雨水落下の際には音が生じたりする等の問題を生じてしまい、必ずしも評判の良い螻羽カバーとは言い難いものであった。
【０００５】
本発明は、上記事由に鑑みてなしたもので、その目的とするところは、横風による雨水垂れを防止することのできる螻羽カバーを提供することにある。
【０００６】
【課題を解決するための手段】
上記目的を達成するために、本発明の螻羽カバーにあっては、請求項１に記載したように、屋根勾配に沿って螻羽上面を覆う天板部と、天板部の妻側で螻羽側面を覆う縦板部とでカバー本体を形成し、このカバー本体に、横風による縦板部側面への雨水垂れを防ぐ屋根勾配の方向と略平行な止水用側壁を設けたことを特徴としている。
【０００７】
これにより、横風による雨水垂れを防止することができる。即ち、止水用側壁が横風による雨水の横流れを塞き止め、縦板部側面への雨水垂れを防止する。更に、この止水用側壁は屋根勾配の方向と略平行なので、塞き止められた雨水は軒先に向って流れてゆくことになる。軒先には一般的に軒樋が設けられているので、軒先に向った雨水は軒樋に受け止められ、軒樋内を流れて排水される。
又、本発明の螻羽カバーにあっては、請求項１に記載したように、天板部棟側に棟側支持壁を設けると共にこの下端を棟側に向けて折り曲げて、上下の屋根瓦で挟まれる棟側鍔を形成したことを特徴としている。
これにより、棟側鍔は屋根瓦の上面と上段屋根瓦の下面に挟まれて螻羽カバーの固定を確かなものとしている。又、棟側支持壁には上段屋根瓦の軒先側端部が当接されるので、上段屋根瓦の位置決めを容易なものとすることができる。
【０００８】
又、本発明の螻羽カバーにあっては、請求項２に記載したように、天板部軒側の端を下方に折り曲げてカバー本体を支持する支持壁を形成すると共に、天板部妻側と反対側の端を下方に折り曲げて、下縁が支持壁の下縁よりも上方にとどまる止水用側壁と、止水用側壁下側で屋根瓦が挿入可能となる屋根瓦挿入口とを形成しても良い。
【０００９】
この場合、屋根瓦に対して螻羽カバー全体を厚く見せることができる。厚く見せることで意匠性が向上する。即ち、止水用側壁の下側に設けた屋根瓦挿入口に屋根瓦を挿入するので、螻羽カバーの天板部は必然的に屋根瓦よりも上側に配されることになる。更に、螻羽カバーは止水用側壁、支持壁、縦板部、屋根瓦で、屋根瓦を挿入した内部の空間を塞ぐことになる為、外からは中空構造であることがわからない。その結果、厚みのある螻羽カバーであるかの如く見せることができる。又、中空構造となるので螻羽カバー自身の軽量化も同時に実現することができる。
【００１０】
又、本発明の螻羽カバーにあっては、請求項３に記載したように、縦板部外側に、略直立状で上縁が天板部より突出する止水板を取り付けて止水用側壁を形成しても良い。
【００１１】
この場合、カバー本体と止水板とが別体となるので後付け施工が可能となる。例えば、予算の都合等で当初はカバー本体のみ螻羽部に取り付けておいて、後々余裕ができてきた際に止水板を取り付けたりすることもできる。又、カバー本体の縦板部側面の汚れ等を全く気にしない顧客にはカバー本体のみを、気にする顧客にはカバー本体に止水板を取り付けた螻羽カバーを勧めることができるので、部材の種類を集約することができる。
【００１２】
又、本発明の螻羽カバーにあっては、請求項４に記載したように、天板部妻側の端を上方に折り曲げて止水用側壁を形成し、止水用側壁の上端を下方に折り返して縦板部を形成しても良い。
【００１３】
この場合、カバー本体を折り曲げて止水用側壁を形成するので、製造コストを低く抑えることができる。即ち、止水用側壁の為になにかしらを設けるわけではないので部品点数を減らすことができ、その結果安く作ることができる。又、同一材での形成による意匠上のまとまりを演出することもできる。
【００１４】
又、本発明の螻羽カバーにあっては、請求項５に記載したように、天板部の天面に溝を設け、溝内の妻側側壁を止水用側壁としても良い。
【００１５】
この場合、横風により天板部上を横向きに流れてきた雨水を溝内の妻側側壁で受け止め、軒先側に排水することができる。即ち、溝を排水路として軒先側に雨水を排水することができる。
【００１６】
又、本発明の螻羽カバーにあっては、請求項６に記載したように、天板部の天面に凸条を設け、妻側と反対側の凸条側壁を止水用側壁としても良い。
【００１７】
この場合、横風により天板部上を横向きに流れてきた雨水を凸条側壁で受け止め、軒先側へ排水することができる。又、凸条としているのでゴミ等が付着しにくい。凹条とするとゴミが凹条内に溜まってしまう可能性があるが凸条についてはその可能性を低くすることができる。本発明の螻羽カバーは、掃除をする機会の少ない螻羽部に設けるものなので、ゴミが付着しにくいことはたいへん有効なものとなる。
【００１８】
【発明の実施の形態】
［第１の実施の形態］図１、２は、本発明の請求項１、２に対応する一実施の形態の螻羽カバー（Ａ）を示す説明図である。
【００１９】
この実施の形態の螻羽カバー（Ａ）は、請求項１に記載したように、屋根勾配に沿って螻羽上面を覆う天板部（１）と、天板部（１）の妻側で螻羽側面を覆う縦板部（２）とでカバー本体（３）を形成し、このカバー本体（３）に、横風による縦板部（２）側面への雨水垂れを防ぐ屋根勾配の方向と略平行な止水用側壁（４）を設けている。
【００２０】
又、該実施の形態の螻羽カバー（Ａ）は、請求項２に記載したように、天板部（１）軒側の端を下方に折り曲げてカバー本体（３）を支持する支持壁（５）を形成すると共に、天板部（１）妻側と反対側の端を下方に折り曲げて、下縁が支持壁（５）の下縁よりも上方にとどまる止水用側壁（４）と、止水用側壁（４）下側で屋根瓦（６）が挿入可能となる屋根瓦挿入口（７）とを形成してもいる。
【００２１】
図１、２に示すように、本実施の形態の螻羽カバー（Ａ）は、天板部（１）と縦板部（２）とを備えたカバー本体（３）に、支持壁（５）と棟側支持壁（８）と止水用側壁（４）と屋根瓦挿入口（７）を設けてなる。
【００２２】
このものは、角型形状の金属板を折り曲げて各構成を形成する。略長方形の天板部（１）の四周に山型折り曲げの際の折り目を挟んで、軒先側で支持壁（５）となる部分と、妻側と反対側で止水用側壁（４）となる部分と、妻側で縦板部（２）となる部分と、棟側で棟側支持壁（８）となる部分とを備えてなる。屈曲部は各々略直角とする。
【００２３】
止水用側壁（４）は脚長を支持壁（５）より短くすることで止水用側壁（４）の下側に屋根瓦挿入口（７）を形成する。その際、止水用側壁（４）の下端部を天板部（１）下側に折り曲げて屋根瓦（６）が挿入容易となるようにしている。
【００２４】
支持壁（５）は下端を天板部（１）下側に折り曲げて鍔（５ａ）を形成している。この鍔（５ａ）は屋根瓦（６）挿入の際に上面を屋根瓦（６）に押え付けられる。これにより螻羽カバー（Ａ）の固定が確かなものとなる。
【００２５】
縦板部（２）は下端を内側上方に折り返している。
【００２６】
棟側支持壁（８）は下端を棟側に向けて折り曲げて棟側鍔（８ａ）を形成している。棟側鍔（８ａ）は屋根瓦（６）の上面と上段屋根瓦（６１）の下面に挟まれて螻羽カバー（Ａ）の固定を確かなものとしている。又、棟側支持壁（８）には上段屋根瓦（６１）の軒先側端部が当接されるので、上段屋根瓦（６１）の位置決めを容易なものとすることができる。
【００２７】
したがって、以上説明した螻羽カバー（Ａ）によると、横風による雨水垂れを防止することができる。即ち、止水用側壁（４）が横風による雨水の横流れを塞き止め、縦板部（２）側面への雨水垂れを防止する。更に、この止水用側壁（４）は屋根勾配の方向と略平行なので、塞き止められた雨水は軒先に向って流れてゆくことになる。軒先には一般的に軒樋が設けられているので、軒先に向った雨水は軒樋に受け止められ、軒樋内を流れて排水される。
【００２８】
又、屋根瓦（６）に対して螻羽カバー（Ａ）全体を厚く見せることができる。厚く見せることで意匠性が向上する。即ち、止水用側壁（４）の下側に設けた屋根瓦挿入口（７）に屋根瓦（６）を挿入するので、螻羽カバー（Ａ）の天板部（１）は必然的に屋根瓦（６）よりも上側に配されることになる。更に、螻羽カバー（Ａ）は止水用側壁（４）、支持壁（５）、縦板部（２）、屋根瓦（６）で、屋根瓦（６）を挿入した内部の空間を塞ぐことになる為、外からは中空構造であることがわからない。その結果、厚みのある螻羽カバー（Ａ）であるかの如く見せることができる。又、中空構造となるので螻羽カバー（Ａ）自身の軽量化も同時に実現することができる。
【００２９】
［第２の実施の形態］図３は、本発明の請求項１、３に対応する一実施の形態の螻羽カバー（Ｂ）を示す説明図である。
【００３０】
この実施の形態の螻羽カバー（Ｂ）は、請求項１に記載した内容の他に、請求項３に記載したように、縦板部（２）外側に、略直立状で上縁が天板部（１）より突出する止水板（９）を取り付けて止水用側壁（４）を形成している。
【００３１】
図３に示すように、本実施の形態の螻羽カバー（Ｂ）は、天板部（１）と縦板部（２）とを備えたカバー本体（３）に止水板（９）を設けて止水用側壁（４）を形成してなる。止水板（９）は縦板部（２）に対して側方より密接させてなる。
【００３２】
縦板部（２）は下端を内側上方に折り返して止水板（９）を係止する縦板側フック（２ａ）を形成し、この縦板側フック（２ａ）と止水板（９）の下端を内側上方に折り返して形成した止水板側フック（９ａ）を係合させて止水板（９）と縦板部（２）とを係合する。更に、釘（１０）を止水板（９）外側より打ち込むことで止水板（９）と縦板部（２）を密着させている。
【００３３】
又、止水板（９）は上端を内側下方に折り返してもいる。
【００３４】
したがって、以上説明した螻羽カバー（Ｂ）によると、請求項１に対応する作用効果の他に、カバー本体（３）と止水板（９）とが別体となるので後付け施工が可能となる。例えば、予算の都合等で当初はカバー本体（３）のみ螻羽部に取り付けておいて、後々余裕ができてきた際に止水板（９）を取り付けたりすることもできる。又、カバー本体（３）の縦板部（２）側面の汚れ等を全く気にしない顧客にはカバー本体（３）のみを、気にする顧客にはカバー本体（３）に止水板（９）を取り付けた螻羽カバー（Ｂ）を勧めることができるので、部材の種類を集約することができる。
【００３５】
この他にも、このものは、図４に示すように止水板（９）の断面形状を外方に膨らませて、立体的なデザインとしても良い。この場合は、化粧破風としているが別のデザインとしても良い。これにより、螻破カバー（Ｂ’）に高級感が生まれ建築物の外観意匠が一層好ましいものとなる。又、外方に膨らませる際に段差を設けてもいるので、止水板（９）に直接降り掛かった雨水を下方へ緩やかに排水させることができる。
【００３６】
［第３の実施の形態］図５、６は、本発明の請求項１、４に対応する一実施の形態の螻羽カバー（Ｃ）を示す説明図である。
【００３７】
この実施の形態の螻羽カバー（Ｃ）は、請求項１に記載した内容の他に、請求項４に記載したように、天板部（１）妻側の端を上方に折り曲げて止水用側壁（４）を形成し、止水用側壁（４）の上端を下方に折り返して縦板部（２）を形成している。
【００３８】
図５、６に示すように、本実施の形態の螻羽カバー（Ｃ）は、略長方形の天板部（１）と、天板部（１）の妻側に設けられる止水用側壁（４）と、止水用側壁（４）の外側に設けられる縦板部（２）と、天板部（１）の軒先側に設けられる支持壁（５）とからなる。
【００３９】
このものは金属板を折り曲げることで各構成を形成する。角型の金属板を天板部（１）が略長方形となるように、妻側端部を上方に向けて折り曲げて止水用側壁（４）を形成し、軒先側端部を下方に向けて折り曲げて支持壁（５）を形成する。止水用側壁（４）は上端を外側下方に折り返して縦板部（２）を形成している。
【００４０】
又、縦板部（２）は下端部を内側上方に折り返してもいる。
【００４１】
又、支持壁（５）は下端を天板部（１）下側に向けて折り曲げることで鍔（５ａ）を形成してもいる。これにより、天板部（１）の妻側と反対側の側縁と、支持壁（５）の妻側と反対側の側縁と、鍔（５ａ）の妻側と反対側の側縁とで屋根瓦挿入口（７）が形成される。屋根瓦挿入口（７）から屋根瓦（６）を挿入することで、鍔（５ａ）が屋根瓦（６）に押さえ付けえられ、螻羽カバー（Ｃ）が固定される。
【００４２】
したがって、以上説明した螻羽カバー（Ｃ）によると、請求項１に対応した作用効果の他に、カバー本体（３）を折り曲げて止水用側壁（４）を形成するので、製造コストを低く抑えることができる。即ち、止水用側壁（４）の為になにかしらを設けるわけではないので部品点数を減らすことができ、その結果安く作ることができる。又、同一材での形成による意匠上のまとまりを演出することもできる。
【００４３】
［第４の実施の形態］図７は、本発明の請求項１、５に対応する一実施の形態の螻羽カバー（Ｄ）を示す説明図である。
【００４４】
この実施の形態の螻羽カバー（Ｄ）は、請求項１に記載した内容の他に、請求項５に記載したように、天板部（１）の天面に溝（１１）を設け、溝（１１）内の妻側側壁（１２）を止水用側壁（４）としている。
【００４５】
図７に示すように、本実施の形態の螻羽カバー（Ｄ）は、天板部（１）と縦板部（２）と支持壁（５）と鍔（５ａ）と２本の溝（１１）とからなる金属製製品である。
【００４６】
角型の金属板を天板部（１）が略長方形となるように、妻側端部を下方に折り曲げて縦板部（２）を形成し、軒側端部を下方に折り曲げて支持壁（５）を形成する。縦板部（２）と支持壁（５）については第３の実施の形態と同じ曲げ加工を施して形成する。このものについては、天板部（１）に設けた溝（１１）にて止水用側壁（４）を形成していることが第３の実施の形態と異なる。溝（１１）は軒先に向って屋根勾配と略平行に２本設けており、断面略半円状とすることで排水が円滑になるように工夫してある。
【００４７】
したがって、以上説明した螻羽カバー（Ｄ）によると、請求項１に対応した作用効果の他に、横風により天板部（１）上を横向きに流れてきた雨水を溝（１１）内の妻側側壁（１２）で受け止め、軒先側に排水することができる。即ち、溝（１１）を排水路として軒先側に雨水を排水することができる。
【００４８】
又、図８に示すように、請求項６に記載したように、天板部（１）の天面に凸条（１３）を設け、妻側と反対側の凸条側壁（１４）を止水用側壁（４）としても良い。
【００４９】
これにより、横風により天板部（１）上を横向きに流れてきた雨水を凸条側壁（１４）で受け止め、軒先側へ排水することができる。又、凸条としているのでゴミ等が付着しにくい。凹条とするとゴミが凹条内に溜まってしまう可能性があるが凸条（１３）についてはその可能性を低くすることができる。本発明の螻羽カバー（Ｄ’）は、掃除をする機会の少ない螻羽部に設けるものなので、ゴミが付着しにくいことはたいへん有効なものとなる。
【００５０】
【発明の効果】
上述の如く、請求項１記載の発明によれば、横風による雨水垂れを防止することができる。
更に、棟側鍔は屋根瓦の上面と上段屋根瓦の下面に挟まれて螻羽カバーの固定を確かなものとしている。又、棟側支持壁には上段屋根瓦の軒先側端部が当接されるので、上段屋根瓦の位置決めを容易なものとすることができる。
【００５１】
そして、請求項２記載の発明によれば、屋根瓦に対して螻羽カバー全体を厚く見せることができる。
【００５２】
そして、請求項３記載の発明によれば、カバー本体と止水板とが別体となるので後付け施工が可能となる。
【００５３】
そして、請求項４記載の発明によれば、カバー本体を折り曲げて止水用側壁を形成するので、製造コストを低く抑えることができる。
【００５４】
そして、請求項５記載の発明によれば、横風により天板部上を横流れてきた雨水を溝内の側壁で受け止め、軒先側に排水することができる。
【００５５】
そして、請求項６記載の発明によれば、横風により天板部上を横流れてきた雨水を凸条側壁で受け止め、軒先側へ排水することができる。
【図面の簡単な説明】
【図１】本発明の第１の実施の形態である螻羽カバーを用いた螻羽部の納まりを示す概略斜視図である。
【図２】該螻羽カバーを示す斜視図である。
【図３】本発明の第２の実施の形態である螻羽カバーを用いた螻羽部の納まりを示す概略断面図である。
【図４】該螻羽カバーを示す断面図である。
【図５】本発明の第３の実施の形態である螻羽カバーを用いた螻羽部の納まりを示す概略斜視図である。
【図６】該螻羽カバーを示す斜視図である。
【図７】本発明の第４の実施の形態である螻羽カバーを用いた螻羽部の納まりを示す概略斜視図である。
【図８】該螻羽カバーの溝を凸条とした螻羽カバーを示す斜視図である。
【図９】本発明の従来例である螻羽カバーを示す概略斜視図である。
【符号の説明】
Ａ    第１の実施の形態の螻羽カバー
Ｂ    第２の実施の形態の螻羽カバー
Ｂ’  第２の実施の形態を少し変えた螻羽カバー
Ｃ    第３の実施の形態の螻羽カバー
Ｄ    第４の実施の形態の螻羽カバー
Ｄ’  第４の実施の形態を少し変えた螻羽カバー
Ｅ    従来の技術における螻羽カバー
１    天板部
２    縦板部
３    カバー本体
４    止水用側壁
５    支持壁
６    屋根瓦
７    屋根瓦挿入口
９    止水板
１１  溝
１２  妻側側壁
１３  凸条
１４  凸条側壁
【図１】
0004088030.tif 000002
【図２】
0004088030.tif 000003
【図３】
0004088030.tif 000004
【図４】
0004088030.tif 000005
【図５】
0004088030.tif 000006
【図６】
0004088030.tif 000007
【図７】
0004088030.tif 000008
【図８】
0004088030.tif 000009
【図９】
0004088030.tif 000010